(57)【要約】椎間板プロテーゼは、拡張式ベローズとして構成されたケーシング（２）、上端端（３）、下端部（４）、および中央長手方向軸（５）を有する実質的に中空円筒型の本体（１）と、前記本体（１）の前記上端部（３）に前記長手方向軸（５）に対して斜めに配置された、椎体の基板への配置のために適している上並置板（６）と、前記本体（１）の前記下端部（４）に前記長手方向軸（５）に対して斜めに配置された、椎体に蓋板への配置のために適している下並置板（７）とを有する。拡張式ベローズとして形成されたケーシング（２）はここで明確なバネ定数を有するバネ要素として構成されている。この構造により天然椎間板の機能および課題への大幅な接近が達成される。
2006503623.tif 000002
【特許請求の範囲】
【請求項１】
（Ａ）拡張式ベローズとして構成されたケーシング（２）、上端部（３）、下端部（４）、および中央長手方向軸（５）を有する実質的に中空円筒型の本体（１）と、
（Ｂ）前記本体（１）の前記上端部（３）に前記長手方向軸（５）に対して斜めに配置された、椎体の基板への配置のために適している上並置板（６）と、
（Ｃ）前記本体（１）の前記下端部（４）に前記長手方向軸（５）に対して斜めに配置された、前記椎体に蓋板への配置のために適している下並置板（７）と
を有し、
（Ｄ）前記拡張式ベローズとして形成された前記ケーシング（２）が明確なバネ定数を有するバネ要素として構成されていることを特徴とする椎間板プロテーゼまたは人工的椎体。
【請求項２】
前記明確なバネ定数が少なくとも５０Ｎ／ｍｍ、好ましくは、少なくとも１００Ｎ／ｍｍであることを特徴とする請求項１に記載の椎間板プロテーゼまたは人工的椎体。
【請求項３】
前記バネ定数が少なくとも１５０Ｎ／ｍｍ、好ましくは、少なくとも４００Ｎ／ｍｍであることを特徴とする請求項２に記載の椎間板プロテーゼまたは人工的椎体。  
【請求項４】
前記バネ定数が高くても８００Ｎ／ｍｍ、好ましくは、高くても２０００Ｎ／ｍｍであることを特徴とする請求項１〜３のいずれか１つに記載の椎間板プロテーゼまたは人工的椎体。
【請求項５】
前記バネ要素のバネ行程が、１０００Ｎの負荷で１〜２ｍｍの範囲、好ましくは１．３〜１．７ｍｍの範囲である、請求項１〜４のいずれか１つに記載の椎間板プロテーゼまたは人工的椎体。
【請求項６】
前記バネ要素が引張バネおよび圧縮バネである、請求項１〜５のいずれか１つに記載の椎間板プロテーゼまたは人工的椎体。
【請求項７】
前記拡張式ベローズとして構成された前記ケーシング（２）の折畳みの数が３〜１０、好ましくは４〜５の範囲であることを特徴とする請求項１〜６のいずれか１つに記載の椎間板プロテーゼまたは人工的椎体。
【請求項８】
前記ケーシング（２）が多くの単板で構成されることを特徴とする請求項１〜７のいずれか１つに記載の椎間板プロテーゼまたは人工的椎体。
【請求項９】
前記単板が互いに離隔していることを特徴とする請求項８に記載の椎間板プロテーゼまたは人工的椎体。
【請求項１０】
前記単板が緩衝層なしにいっしょに位置していることを特徴とする請求項８に記載の椎間板プロテーゼまたは人工的椎体。
【請求項１１】
前記ケーシング（２）が複数の互いに付着した前記拡張式ベローズを含んで成ることを特徴とする請求項１〜１０のいずれか１つに記載の椎間板プロテーゼまたは人工的椎体。
【請求項１２】
前記ケーシングが、前記長手方向軸（５）に対して実質的に平行に延びる溝を備えていることを特徴とする請求項１〜１１のいずれか１つに記載の椎間板プロテーゼまたは人工的椎体。
【請求項１３】
前記ケーシング（２）の回転剛性が、前記ケーシング（２）の１°〜３°、好ましくは１．５°〜２．５°の回転を可能にすることを特徴とする請求項１〜１２のいずれか１つに記載の椎間板プロテーゼまたは人工的椎体。
【請求項１４】
前記ケーシングの軸方向の行程が８００Ｎの軸方向の力の使用に際して１．０〜２．５ｍｍの範囲、好ましくは１．３〜１．７５ｍｍの範囲であることを特徴とする請求項１〜１３のいずれか１つに記載の椎間板プロテーゼまたは人工的椎体。
【請求項１５】
前記本体（１）の前記上下端部（３、４）の両方の前記並置板（６、７）が軸方向にしっかりと、ただし回転するように固定されていることを特徴とする請求項１〜１４のいずれか１つに記載の椎間板プロテーゼまたは人工的椎体。
【請求項１６】
前記本体（１）の前記上下端部（３、４）の両方の前記並置板（６、７）が軸方向にしっかりと固定されており、前記長手方向軸（５）の周りの回転が、好ましくは高くても５°の角度範囲に制限されていることを特徴とする請求項１〜１５のいずれか１つに記載の椎間板プロテーゼまたは人工的椎体。
【請求項１７】
前記本体（１）の前記上下端部（３、４）の両方の前記並置板（６、７）が軸方向にかつ回転するようにしっかりと固定されていることを特徴とする請求項１〜１５のいずれか１つに記載の椎間板プロテーゼまたは人工的椎体。
【請求項１８】
前記拡張式ベローズとして形成された前記ケーシング（２）の回転剛性が、両方の前記並置板（６、７）が１°〜５°、好ましくは２°〜３°の角度で前記長手方向軸（５）の周りを互いに対して回転可能であるように選択されていることを特徴とする請求項１７に記載の椎間板プロテーゼまたは人工的椎体。
【請求項１９】
両方の前記並置板（６、７）が、４°〜８°、好ましくは５°〜７°の角度で前記長手方向軸（５）に対して直交面から傾斜変更可能であることを特徴とする請求項１〜１８のいずれか１つに記載の椎間板プロテーゼまたは人工的椎体。
【請求項２０】
前記中空円筒型の本体（１）が減衰要素として作用する固体で少なくとも部分的に充填されていることを特徴とする請求項１〜１９のいずれか１つに記載の椎間板プロテーゼまたは人工的椎体。
【請求項２１】
前記固体がプラスチック、好ましくはエラストマーであることを特徴とする請求項２０に記載の椎間板プロテーゼまたは人工的椎体。
【請求項２２】
前記ケーシング（２）が金属、または、好ましくはチタンに基づく金属合金から成ることを特徴とする請求項１〜２１のいずれか１つに記載の椎間板プロテーゼまたは人工的椎体。
【請求項２３】
前記ケーシング（２）の材料が少なくとも３０％、好ましくは、少なくとも３８％の降伏強度を有することを特徴とする請求項１〜２２のいずれか１つに記載の椎間板プロテーゼまたは人工的椎体。
【請求項２４】
前記ケーシング（２）がプラスチック、好ましくはエラストマーから成ることを特徴とする請求項１〜２１のいずれか１つに記載の椎間板プロテーゼまたは人工的椎体。
【請求項２５】
前記ケーシング（２）が板バネ柱から成ることを特徴とする請求項１〜２４のいずれか１つに記載の椎間板プロテーゼまたは人工的椎体。
【発明の詳細な説明】
【技術分野】
【０００１】
本発明は、特許請求の範囲第１項の前文による椎間板プロテーゼまたは人工的椎体に関する。
【背景技術】
【０００２】
ＵＳ−Ａ−４  ９３２  ９７５号メイン（ＭＡＩＮ）ら（特許文献１）から、拡張式ベローズを本体として含んで成る脊椎プロテーゼが周知である。このベローズは、ベローズの拡張を可能にする可撓性材料から成る。しかし、その他の点では、このベローズは、開口を介して液体が充填されうると同時にベローズが受動的に拡張する受動的要素である。したがって、この周知の装置においては、発生する負荷力を弾力性に受入れることができる能動的な弾性要素が欠けている。さらに、この周知の椎体プロテーゼにおける不利点の別の１つは、追加的に液体、例えば、メタクリレート（特にメチルメタクリレートＭＭＡ）が充填されなければならず、これが多大なリスクをもたらす。  
【特許文献１】米国特許第Ａ−４９３２９７５号メイン（ＭＡＩＮ）ら
【発明の開示】
【０００３】
この点で本発明は解決策を提供する。本発明の課題は、軸方向に減衰する構成要素を有し、並進運動、回転、および屈曲角形成が明確な方法で受入れられ、移動されうる椎間板プロテーゼもしくは人工的椎体を提供することである。
【０００４】
本発明は、請求項１の特徴を有する、椎間板プロテーゼまたは人工的椎体により上記の課題を解決する。
【０００５】
発明によって達成された利点は、本発明による椎間板プロテーゼまたは人工的椎体により天然椎間板または天然椎体の機能および課題への大幅な接近が達成されうることにおいて確認される。
本発明の別の有利な構成は、従属クレームにおいて特徴づけられている。
個別の実施形態の解説は、主に椎間板プロテーゼによって行われるが、すべての実施形態は人工的椎体として可能な構成にも基づく。
【０００６】
バネ要素の明確なバネ定数は、好ましくは、少なくとも５０Ｎ／ｍｍ、好ましくは、少なくとも１００Ｎ／ｍｍであるべきである。しかし、好ましくは、バネ定数ｇは少なくとも１５０Ｎ／ｍｍ、好ましくは、少なくとも４００Ｎ／ｍｍであるべきである。上方へもバネ定数は制限され、高くても８００Ｎ／ｍｍ、好ましくは、高くても２０００Ｎ／ｍである。通常、バネ定数は６００Ｎ／ｍｍである。
バネ要素のバネ行程は、１０００Ｎの負荷で、好ましくは１〜２ｍｍの範囲、好ましくは１．３〜１．７ｍｍの範囲であるべきである。通常、バネ行程はこの負荷では１．５ｍｍである。
【０００７】
本発明の実施形態においては、バネ要素は引張バネおよび圧縮バネとして構成されている。
拡張式ベローズとして構成されたケーシングの折畳みの数は、好ましくは３〜１０、好ましくは４〜５の範囲である。この数においては、製造技術および使用される材料の所望の拡張における利点が生じる。
本発明の実施形態においては、ケーシングは多数の単板から成る。こうして拡張式ベローズの剛性が一定の限界内で任意に制御される。
【０００８】
特定の実施形態においては、単板は互いに離隔している。この構造によって、さまざまな拡張式ベローズが互いに接続され、これらはさまざな負荷を受入れることができるが、例えば、屈曲角形成、並進運動、回転、および減衰のための外部拡張式ベローズが例えば８００Ｎの負荷において、内部拡張式ベローズが約２５００Ｎの大きな負荷を受入れることができ、外部拡張式ベローズが節減される。
【０００９】
別の特定の実施形態においては、単板が緩衝層なしにいっしょに位置している。それによって剛性の上昇が達成される。
別の実施形態においては、ケーシングは多くの互いに付着した拡張式ベローズを含んで成る。
ケーシングは、長手方向軸に対して実質的に平行に延びる溝を備えることもできる。それによって、拡張式ベローズの回転剛性の減少が生じる。
ケーシングの回転剛性は、それが１°〜３°、好ましくは１．５°〜２．５°のケーシングの回転を可能にするように選択されることが好ましい。
ケーシングの軸方向の行程は―８００Ｎの軸方向の力の使用に際して―好ましくは１．０〜２．５ｍｍの範囲、好ましくは１．３０〜１．７５ｍｍの範囲であるべきである。
【００１０】
本発明の実施形態においては、本体の上下端部における両方の並置板がしっかりと、ただし回転するように固定されている。
別の実施形態においては、本体の上下端部の両方の並置板が軸方向にしっかりと固定されており、長手方向軸の周りの回転が、好ましくは高くても５°の角度範囲に制限されている。
別の実施形態においては、本体の上下端部における両方の並置板は軸方向かつ回転するようにしっかりと固定されている
【００１１】
特定の実施形態においては、拡張式ベローズとして形成されたケーシングの回転剛性が、両方の並置板が１°〜５°、好ましくは２°〜３°の角度で長手方向軸の周りを互いに対して回転可能であるように選択される。
別の実施形態においては、両方の並置板が４°〜８°、好ましくは５°〜７°の角度で長手方向軸に対して直交面から傾斜変更可能である。
【００１２】
本発明の特別の実施形態においては、中空円筒型の本体は減衰要素として作用する固体、好ましくはプラスチックで少なくとも部分的に充填される。この構造によって、剛性、および大きな衝撃負荷、例えば２５００Ｎの改善された受入れの上昇が生じる。
椎間板プロテーゼのケーシングは、金属、または、好ましくはチタンに基づく金属合金から成りうる。ケーシングの材料は少なくとも３０％、好ましくは、少なくとも３８％の降伏強度を有するべきである。ケーシングは、プラスチック、好ましくはエラストマーからも成りうる。
本発明の特定の実施形態においては、ケーシングが板バネ柱から成る。
本発明および本発明の発展を以下、多くの実施例の部分的な概略図を用いてさらに詳細に説明する。
【００１３】
（図面の簡単な説明）
図１は、椎間板プロテーゼを示す斜視図である。
図２は、１による椎間板プロテーゼを上から見た図である。
図３は、２の線Ｂ−Ｂに沿って見た縦断面図である。
図４は、縦断面における図１による椎間板プロテーゼの変型を示す図である。
図５は、中央穴とともに椎間板プロテーゼを示す斜視図である。
図６は、５による椎間板プロテーゼを上から見た図である。
図７は、６の線Ｂ−Ｂに沿って見た縦断面図である。
図８は、２つの互いに押込められた拡張式ベローズとともに部分的に切断された椎間板プロテーゼを示す斜視図である。
【発明を実施するための最良の形態】
【００１４】
図１〜３に示されている椎間板プロテーゼは、拡張式ベローズとして構成されたケーシング２、上端部３、下端部４、および中央長手方向軸５を有する中空円筒型の本体とから実質的に成る。本体１の上端部３には、長手方向軸５に対して斜めに配置された、椎体の基板への配置のために適している上並置板６が配置されている。本体１の下端部４には、長手方向軸５に対して斜めに配置された、椎体に蓋板への配置のために適している下並置板７が配置されている。
両方の並置板６、７は外側へ、隣接した椎体の基板および蓋板の良好な配置を達成するために、多数のピラミッド状の歯から成る構造化表面８を有する。構造化表面８は、表面のエッチングの形で、または骨組織の成長を促進する表面構造化の形でも実現されうる。
外部拡張式ベローズとして構成されたケーシング２は、全部で３〜６の折畳み（ひだ）を有する。
椎間板プロテーゼは、実施形態に応じて、５〜１５ｍｍであり、直径は１０〜３５ｍｍの範囲であり。かつケーシングの厚さは約０．１ｍｍである。
両方の並置板６、７は、内側へ向いた、減衰要素として構成されうる軸方向のストッパー１２および１３を有する。
【００１５】
図４に示されている変型においては、両方の並置板６、７は、ピボットとして内側に向いた軸方向のストッパー１２および１３でハウジング１４内で回転可能に支持されているが、ここで回転は図示されていない停止手段によって量的に制限されうる。
【００１６】
図５〜７に示されている椎間板プロテーゼの実施形態は、図１〜３によるものと同様に構成されている。その違いは、両方の並置面６、７が円形環として構成されており、結果として軸方向の穴９が生じることにある。別の違いは、拡張式ベローズとして構成されたケーシング２はこの実施形態においては１つの折畳み（ひだ）のみ有することにある。
【００１７】
図８は、椎間板プロテーゼの機能を特に説明的に示している。ケーシング２は、この実施形態においては、外側の拡張式ベローズ２１および内側の拡張式ベローズ２２から成る。外側の拡張式ベローズ２１は５つの折畳みを有し、内側の拡張式ベローズ２２は９つの折畳みを有する。外側の拡張式ベローズ２１は上並置板６に、内側の拡張式ベローズ２２は下並置板７に固定されている。材料に応じて、拡張式ベローズは並置板５、６に溶接され、押圧され、または圧入されている。図示されている実施形態においては、両方の拡張式ベローズ２１、２２は、両方の並置板６、７の内側に配置されている円形ナット１０、１１に係合している。拡張式２１および２２の各々が固定されている両方の並置板５、６は、―図８に示されているように―缶に相互接続されうる。両方の並置板５、６は、それによって互いに回転可能である。図示されていない停止手段によって、回転は一定の値、例えば、２°〜３°に制限されうる。
【図面の簡単な説明】
【００１８】
【図１】椎間板プロテーゼを示す斜視図である。
【図２】図１による椎間板プロテーゼを上から見た図である。
【図３】図２の線Ｂ−Ｂに沿って見た縦断面図である。
【図４】縦断面における図１による椎間板プロテーゼの変型を示す図である。
【図５】中央穴とともに椎間板プロテーゼを示す斜視図である。
【図６】図５による椎間板プロテーゼを上から見た図である。
【図７】図６の線Ｂ−Ｂに沿って見た縦断面図である。
【図８】２つの互いに押込められた拡張式ベローズとともに部分的に切断された椎間板プロテーゼを示す斜視図である。
【符号の説明】
【００１９】
１    本体                        ２    ケーシング
３    上端部                      ４    下端部
５    長手方向軸                  ６    上並置板
７    下並置板                    ８    構造化表面
９    軸方向の穴                  １０、１１  円形ナット
１２、１３  ストッパー            １４  ハウジング
２１  外側の拡張式ベローズ        ２２  内側の拡張式ベローズ
【図１】
2006503623.tif 000003
【図２】
2006503623.tif 000004
【図３】
2006503623.tif 000005
【図４】
2006503623.tif 000006
【図５】
2006503623.tif 000007
【図６】
2006503623.tif 000008
【図７】
2006503623.tif 000009
【図８】
2006503623.tif 000010
【手続補正書】
【提出日】平成17年10月19日(2005.10.19)
【手続補正１】
【補正対象書類名】特許請求の範囲
【補正対象項目名】全文
【補正方法】変更
【補正の内容】
【特許請求の範囲】
【請求項１】
（Ａ）拡張式ベローズとして構成されたケーシング（２）、上端部（３）、下端部（４）、および中央長手方向軸（５）を有する実質的に中空円筒型の本体（１）と、
（Ｂ）前記本体（１）の前記上端部（３）に前記長手方向軸（５）に対して斜めに配置された、椎体の基板への配置のために適している上並置板（６）と、
（Ｃ）前記本体（１）の前記下端部（４）に前記長手方向軸（５）に対して斜めに配置された、前記椎体に蓋板への配置のために適している下並置板（７）と
を有し、かつ
（Ｄ）前記拡張式ベローズとして形成された前記ケーシング（２）が明確なバネ定数を有するバネ要素として構成され、
（Ｅ）前記ケーシング（２）が複数の互いに付着した前記拡張式ベローズを含んで成ることを特徴とする椎間板プロテーゼまたは人工的椎体。
【請求項２】
前記明確なバネ定数が少なくとも５０Ｎ／ｍｍ、好ましくは、少なくとも１００Ｎ／ｍｍであることを特徴とする請求項１に記載の椎間板プロテーゼまたは人工的椎体。
【請求項３】
前記バネ定数が少なくとも１５０Ｎ／ｍｍ、好ましくは、少なくとも４００Ｎ／ｍｍであることを特徴とする請求項２に記載の椎間板プロテーゼまたは人工的椎体。  
【請求項４】
前記バネ定数が高くても８００Ｎ／ｍｍ、好ましくは、高くても２０００Ｎ／ｍｍであることを特徴とする請求項１〜３のいずれか１つに記載の椎間板プロテーゼまたは人工的椎体。
【請求項５】
前記バネ要素のバネ行程が、１０００Ｎの負荷で１〜２ｍｍの範囲、好ましくは１．３〜１．７ｍｍの範囲である、請求項１〜４のいずれか１つに記載の椎間板プロテーゼまたは人工的椎体。
【請求項６】
前記バネ要素が引張バネおよび圧縮バネである、請求項１〜５のいずれか１つに記載の椎間板プロテーゼまたは人工的椎体。
【請求項７】
前記拡張式ベローズとして構成された前記ケーシング（２）の折畳みの数が３〜１０の範囲であることを特徴とする請求項１〜６のいずれか１つに記載の椎間板プロテーゼまたは人工的椎体。
【請求項８】
前記拡張式ベローズとして構成された前記ケーシング（２）の折畳みの数が４〜５の範囲であることを特徴とする請求項７に記載の椎間板プロテーゼまたは人工的椎体。
【請求項９】
前記ケーシング（２）が多くの単板で構成されることを特徴とする請求項１〜８のいずれか１つに記載の椎間板プロテーゼまたは人工的椎体。
【請求項１０】
前記ケーシング（２）の前記単板が互いに離隔していることを特徴とする請求項１〜９のいずれか１つに記載の椎間板プロテーゼまたは人工的椎体。
【請求項１１】
前記ケーシング（２）の前記単板が緩衝層なしにいっしょに位置していることを特徴とする請求項１〜９のいずれか１つに記載の椎間板プロテーゼまたは人工的椎体。
【請求項１２】
前記ケーシングが、前記長手方向軸（５）に対して実質的に平行に延びる溝を備えていることを特徴とする請求項１〜１１のいずれか１つに記載の椎間板プロテーゼまたは人工的椎体。
【請求項１３】
前記ケーシング（２）の回転剛性が、前記ケーシング（２）の１°〜３°、好ましくは１．５°〜２．５°の回転を可能にすることを特徴とする請求項１〜１２のいずれか１つに記載の椎間板プロテーゼまたは人工的椎体。
【請求項１４】
前記ケーシングの軸方向の行程が８００Ｎの軸方向の力の使用に際して１．０〜２．５ｍｍの範囲、好ましくは１．３〜１．７５ｍｍの範囲であることを特徴とする請求項１〜１３のいずれか１つに記載の椎間板プロテーゼまたは人工的椎体。
【請求項１５】
前記本体（１）の前記上下端部（３、４）の両方の前記並置板（６、７）が軸方向にしっかりと、ただし回転するように固定されていることを特徴とする請求項１〜１４のいずれか１つに記載の椎間板プロテーゼまたは人工的椎体。
【請求項１６】
前記本体（１）の前記上下端部（３、４）の両方の前記並置板（６、７）が軸方向にしっかりと固定されており、前記長手方向軸（５）の周りの回転が、好ましくは高くても５°の角度範囲に制限されていることを特徴とする請求項１〜１５のいずれか１つに記載の椎間板プロテーゼまたは人工的椎体。
【請求項１７】
前記本体（１）の前記上下端部（３、４）の両方の前記並置板（６、７）が軸方向にかつ回転するようにしっかりと固定されていることを特徴とする請求項１〜１５のいずれか１つに記載の椎間板プロテーゼまたは人工的椎体。
【請求項１８】
前記拡張式ベローズとして形成された前記ケーシング（２）の回転剛性が、両方の前記並置板（６、７）が１°〜５°、好ましくは２°〜３°の角度で前記長手方向軸（５）の周りを互いに対して回転可能であるように選択されていることを特徴とする請求項１７に記載の椎間板プロテーゼまたは人工的椎体。
【請求項１９】
両方の前記並置板（６、７）が、４°〜８°、好ましくは５°〜７°の角度で前記長手方向軸（５）に対して直交面から傾斜変更可能であることを特徴とする請求項１〜１８のいずれか１つに記載の椎間板プロテーゼまたは人工的椎体。
【請求項２０】
前記中空円筒型の本体（１）が減衰要素として作用する固体で少なくとも部分的に充填されていることを特徴とする請求項１〜１９のいずれか１つに記載の椎間板プロテーゼまたは人工的椎体。
【請求項２１】
前記固体がプラスチック、好ましくはエラストマーであることを特徴とする請求項２０に記載の椎間板プロテーゼまたは人工的椎体。
【請求項２２】
前記ケーシング（２）が金属、または、好ましくはチタンに基づく金属合金から成ることを特徴とする請求項１〜２１のいずれか１つに記載の椎間板プロテーゼまたは人工的椎体。
【請求項２３】
前記ケーシング（２）の材料が少なくとも３０％、好ましくは、少なくとも３８％の降伏強度を有することを特徴とする請求項１〜２２のいずれか１つに記載の椎間板プロテーゼまたは人工的椎体。
【請求項２４】
前記ケーシング（２）がプラスチック、好ましくはエラストマーから成ることを特徴とする請求項１〜２１のいずれか１つに記載の椎間板プロテーゼまたは人工的椎体。
【請求項２５】
前記ケーシング（２）が板バネ柱から成ることを特徴とする請求項１〜２４のいずれか１つに記載の椎間板プロテーゼまたは人工的椎体。
【手続補正２】
【補正対象書類名】明細書
【補正対象項目名】０００２
【補正方法】変更
【補正の内容】
【０００２】
ＵＳ−Ａ−４  ９３２  ９７５メイン（ＭＡＩＮ）ら（特許文献１）から、拡張式ベローズを本体として含んで成る脊椎プロテーゼが周知である。このベローズは、ベローズの拡張を可能にする可撓性材料から成る。しかし、その他の点では、このベローズは、開口を介して液体が充填されうると同時にベローズが受動的に拡張する受動的要素である。したがって、この周知の装置においては、発生する負荷力を弾力性に受入れることができる能動的な弾性要素が欠けている。さらに、この周知の椎体プロテーゼにおける不利点の別の１つは、追加的に液体、例えば、メタクリレート（特にメチルメタクリレートＭＭＡ）が充填されなければならず、これが多大なリスクをもたらす。
ＷＯ  ００／３５３８３号ジムソ（ＤＩＭＳＯ）（特許文献２）から、一般的な椎間板プロテーゼが周知である。この周知の椎間板プロテーゼは、２枚の板間に配置された、拡張式ベローズ状のケーシングで取囲まれている圧縮し易い本体を含んで成る。この周知の椎間板プロテーゼにおける不利点は、その低い剛性である。
【特許文献１】米国特許第Ａ−４  ９３２  ９７５号メイン（ＭＡＩＮ）ら
【特許文献２】国際公開番号第ＷＯ  ００／３５３８３号ジムソ（ＤＩＭＳＯ）
【国際調査報告】
2006503623.tif 000011
2006503623.tif 000012
2006503623.tif 000013
2006503623.tif 000014
2006503623.tif 000015
2006503623.tif 000016